【事件の表示】
　特許第２９５８７５５号「遊技装置」の特許に対する特許異議の申立てについて、次のとおり決定する。
【結　論】
　特許第２９５８７５５号の特許を維持する。
【理　由】
１.手続の経緯
　本件特許第２９５８７５５号の請求項１に係る発明（以下、本件発明という。）は、平成２年６月１９日に出願された特願平２−１５８７６５号の一部を新たな出願とした特願平９−１６２４７９号に係り、平成１１年７月３０日に設定登録され、その後、特許異議申立人河井清悦（以下、申立人１という。）、特許異議申立人粟井英一郎（以下、申立人２という。）により特許異議の申立てがなされたものである。
　
２.本件発明
　本件発明は、その特許明細書の特許請求の範囲の請求項１に記載されたとおりの次の事項により特定されるものである。
「所定の遊技条件の成立に基づき遊技者にとって有利な特別遊技状態を発生可能に構成され、所要の排出条件の成立に基づき遊技媒体排出手段を作動させて所定数の遊技媒体を排出可能な遊技媒体排出制御手段を備えた遊技装置において、
金額を特定可能な所要情報が記憶された記憶媒体が挿入されていること条件に遊技者の貸出操作が行われた際に、該貸出操作に基づく所定数の貸出遊技媒体の排出に関わる信号を出力可能な遊技媒体貸出制御手段と、
前記特別遊技状態を発生させる制御等の遊技制御を行うとともに、遊技において賞が成立した際に、該賞に対応する所定数の賞遊技媒体の排出に関わる信号を出力可能な遊技制御手段と、
を備え、
前記遊技媒体排出制御手段は、前記遊技媒体貸出制御手段および前記遊技制御手段の各々と通信可能に構成され、該遊技媒体貸出制御手段からの貸出遊技媒体の排出に関わる信号の入力に基づき前記遊技媒体排出手段を作動させて所定数の貸出遊技媒体を排出させるとともに、前記遊技制御手段からの賞遊技媒体の排出に関わる信号の入力に基づき該遊技媒体排出手段を作動させて所定数の賞遊技媒体を排出させるように構成され、
前記遊技媒体排出制御手段と前記遊技媒体貸出制御手段との間における貸出遊技媒体の排出に関わる通信は双方向で行う一方、
前記遊技媒体排出制御手段と前記遊技制御手段との間における賞遊技媒体の排出に関わる通信は、該遊技制御手段から該遊技媒体排出制御手段方向への片方向で行うようにしたことを特徴とする遊技装置。」
　
３.特許異議申立てについて
(3-1)申立人１の申立てについて
　本件発明は、当該特許出願の日前の特許出願であつて当該特許出願後に出願公開がされたものの願書に最初に添附した明細書又は図面（下記甲第１号証参照）に記載された発明と同一であって、その発明をした者が当該特許出願に係る発明の発明者と同一の者ではなく、当該特許出願の時にその出願人と当該他の特許出願の出願人とが同一の者ではないから、特許法第２９条の２第１項の規定に違反して特許されたものである。
　　　　　　　　　　記
甲第１号証：特開平４−４４７８８号公報、
甲第２号証：特開昭６３−１２２４８７号公報、
甲第３号証：特開昭６３−４９１８１号公報、
甲第４号証：特開昭６３−２９６７４号公報、
甲第５号証：特開昭６４−４００７６号公報、
甲第６号証：特開昭６４−４９５９０号公報、
甲第７号証：特開昭６４−５６０７８号公報。
　
（甲号証記載の発明）
　甲第１号証（特開平４−４４７８８号公報）には、
「カード式の球貸機は、カード読取り装置と金額表示兼選択スイッチ等が備わっているもので、カードを球貸機に有するカード挿入口から挿入し、選択スイッチを操作することによって遊技球が所定数払い出されるようにされている。」（第１頁右欄第５〜９行）、
「上タンク２３からは接続樋２６を介して賞球および貸出球の排出装置２７が接続され排出装置２７の下部に賞球樋２８および球抜樋２９が接続されている。」（第２頁右下欄第１９行〜第３頁左上欄第２行）、
「ところで、前枠の１３の裏側には役物制御装置３６および本体制御装置３７が取付けられ」（第３頁左上欄第８行〜第９行）、
「本体制御装置３７の電気回路は役物制御装置３６およびリードライター制御装置５ｂの電気回路と接続され」（第３頁左上欄第１８行〜第２０行）、
「第６図に示すようにリードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に貸球要求信号（ＢＢコール）を送信することによって本体制御装置３７からビジー出力信号、残金減算要求信号（残金信号）および球貸記憶減算要求信号（記憶信号）が返信されこれら総入力信号に基づきカードリードライター５ａ、カード搬送装置３９および金額の表示装置４０を作動させる。」（第３頁右上欄第９行〜左下欄第２行）、
「また、本体制御装置３７は主要のｃｐｕがＲＯＭに書き込まれたプログラムにより作動し、入賞検出スイッチ３５、タッチスイッチ４ａおよび単発発射用のスイッチ６のオン・オフ信号の入力や排出装置２７の作動状況を示す信号およびリードライター制御装置５ｂのＢＢコールを受けて打球発射装置３２、スピーカ１９、表示灯２０および排出装置２７を作動させるものである。また、リードライター制御装置５ｂに向けてビジ−出力信号、残金減算要求信号および球貸記憶減算要求信号を送信する。」（第３頁左下欄第３〜１２行）が記載されている。
　甲第２号証（特開昭６３−１２２４８７号公報）には、
「また、上記した球排出装置５は、遊技中に打球が入賞口に入る等して入賞態様が形成されると、該パチンコ機１の遊技用制御装置３８から球貸用制御装置１１に信号が送られ、この球貸用制御装置１１からの信号により球排出装置５及び流路切換装置３３が作動する。この場合、球排出装置５は、球数設定操作部１２で予め設定した入賞態様に対応する数、例えば１３個の球を流下し・・・排出される。」（第４頁右下欄第５〜１７行）が記載されている。
　甲第３号証（特開昭６３−４９１８１号公報）には、
「次に上記構成のパチンコ球を動作させるための回路構成を述べる。この構成は、・・・第９図に示すように通過スイッチ回路５３ｂおよび通過スイッチ５３ａと、賞球制御スイッチ７６と、賞球制御スイッチ回路９４と、ソレノイド９２と、賞球ソレノイド駆動回路９５とを加えた内容である。・・・このうち、賞球制御スイッチ７６が閉成されると、この信号は賞球制御スイッチ回路９４によって信号波形を整えて、入出力制御装置に伝送される。そして、賞球制御スイッチ７６の閉成に応じて、賞球ソレノイド駆動回路９５から第７図および第８図に示すようにソレノイド９２を駆動するようになっている。・・・上記構成によってなるパチンコ機は第１図に示すように遊技盤１上に遊技者がパチンコ球を打ち放つことによって、そのパチンコ球が天穴入賞口２０・・・のいずれかに入ることによって、上記した賞球供給装置が賞品球としての所定数のパチンコ球を遊技者に供給するようになっている。」（第５頁右下欄第４行〜第６頁左上欄第１５行）、
「入出力制御装置から賞球ソレノイド駆動回路９５を介してソレノイド９２に通信が片方向で行われている。」（第９図）が記載されている。
　甲第４号証（特開昭６３−２９６７４号公報）には、
「このうち、賞球制御スイッチ２５が閉成されると、この信号は賞球制御スイッチ回路６５によって信号波形を整えて、入出力制御装置に伝送される。そして、賞球制御スイッチ２５の開成に応じて、賞球ソレノイド駆動回路６６から・・・ソレノイド４９を駆動するようになっている。・・・上記構成によってなるパチンコ機は、第１図に示すように遊技盤２上に遊技者がパチンコ球を打ち放つことによって、そのパチンコ球が、天入賞口２４・・・等に飛び込み、所定数の賞品球が・・・供給される。・・・第９図〜第１３図はパチンコ機の動作を第８図に示す回路構成の入出力制御装置に接続されている各回路と共にＣＰＵ内で制御される状態を示している。」（第４頁左下欄第１行〜右下欄第８行）、
「入出力制御装置から賞球ソレノイド駆動回路６６を介してソレノイド４９に通信が片方向で行われている。」（第８図）が記載されている。
　第５号証（特開昭６４−４００７６号公報）には、
「前記継続入賞口に飛入した打球によって特別遊技状態を開始させ、その特別遊技状態中に、再度前記継続入賞口に飛入した打球があったとき、前記特別遊技状態を最初から開始させるように制御する制御手段と、を備えたパチンコ機において」（第１頁左下欄第１０〜１４行）が記載されている。
　第６号証（特開昭６４−４９５９０号公報）には、
「一方、球が特別入賞口１５に入ると、特別入賞検出器３５がこの球を検出して電気的制御装置に信号を送る。なお、特別入賞口１５に入った球は遊技盤１の裏側に排出され、入賞球となる。電気的制御装置が特別入賞検出器３５からの信号を受けると、特別遊技の権利が発生したことを検知して特別遊技選択表示器１４の点滅移動を停止し、特別遊技のモードを選択する。なお、・・・第１表示板が点灯しているときに球が特別入賞口１５に入ったならばＭＯＤＥ−１の特別遊技が開始される。」（第４頁右上欄第２０行〜左下欄第１３行）が記載されている。
　甲第７号証（特開昭６４−５６０７８号公報）には、
「ガイドレールで囲まれた遊技領域内に、複数の特定入賞口と、これら特定入賞口への打球の入賞により作動する可動部材およびその作動に伴って打球を受け入れない第１状態と打球を受け入れ易い第２状態とに変換される入賞空間を具え該入賞空間中に一般入賞口および選択入賞口が設けられた変動入賞装置と、前記選択入賞口への打球の入賞によって表示の態様が確定される可変表示部と、その確定した表示態様に応じて特別遊技態様発生の有無および実行される特別遊技態様の種類を決定する制御手段とが設置されていることを特徴とするパチンコ遊技機。」（第１頁左欄第５行〜第１６行）が記載されている。
　
（対比・判断）
　本件発明と甲第１号証記載の発明とを対比すると、甲第１号証記載の「排出装置２７」、「本体制御装置３７」、「リードライター制御装置５ｂ」、「カード」、「役物制御装置３６」、「パチンコ機」が、それぞれ、本件発明の「遊技媒体排出手段」、「遊技媒体排出制御手段」、「遊技媒体貸出制御手段」、「記憶媒体」、「遊技制御手段」、「遊戯装置」に相当し、甲第１号証記載の「貸球要求信号（ＢＢコール）」及び「ビジー出力信号」は「前記遊技媒体排出制御手段（本体制御装置３７）と前記遊技媒体貸出制御手段（リードライター制御装置５ａ）との間における貸出遊技媒体の排出に関わる通信は双方向で行われていることに相当するから、
両者は、
「所要の排出条件の成立に基づき遊技媒体排出手段を作動させて所定数の遊技媒体を排出可能な遊技媒体排出制御手段を備えた遊技装置において、
金額を特定可能な所要情報が記憶された記憶媒体が挿入されていること条件に遊技者の貸出操作が行われた際に、該貸出操作に基づく所定数の貸出遊技媒体の排出に関わる信号を出力可能な遊技媒体貸出制御手段と、
遊技制御を行う遊技制御手段を備え、
前記遊技媒体排出制御手段は、該遊技媒体貸出制御手段からの貸出遊技媒体の排出に関わる信号の入力に基づき前記遊技媒体排出手段を作動させて所定数の貸出遊技媒体を排出させるとともに、該遊技媒体排出手段を作動させて所定数の賞遊技媒体を排出させるように構成され、
前記遊技媒体制御手段と前記遊技媒体貸出制御手段との間における貸出遊技媒体の排出に関わる通信は双方向で行う、
遊戯装置」である点で一致する。
　しかしながら、甲第１号証には、「本体制御装置３７・・・は役物制御装置３６・・・と接続され」（第３頁左上欄第１８〜２０行）、「本体制御装置３７は・・・入賞検出スイッチ３５のオン・オフ信号の入力・・・を受けて・・・排出装置２７を作動させる」（第３頁左下欄第３〜１０行）と記載され、第６図のブロック図には、「入賞検出スイッチ３５」のブロックから「ＣＰＣ本体制御」のブロックに向かって矢印が記載されているものの、少なくとも、本件発明のように、「遊技媒体排出制御手段」と「遊技制御手段」との間における賞遊技媒体の排出に関わる通信についての記載はなく、本件発明を特定する(a)「前記遊技媒体排出制御手段と前記遊技制御手段との間における賞遊技媒体の排出に関わる通信は、該遊技制御手段から該遊技媒体排出制御手段方向への片方向で行うようにした」構成についての具体的な構成については何も記載されていない。
　上記相違点(a)について検討する。
　甲第２号証に「入賞態様が形成されると、該パチンコ機１の遊技用制御装置３８から玉貸用制御装置１１に信号が送られ」（第４頁右下欄第５〜８行）と記載され、この甲第２号証には、「遊技媒体排出制御手段」と「遊技制御手段」との間における賞遊技媒体の排出に関わる通信についての記載が認められるが、該通信を遊技制御手段から遊技媒体排出制御手段方向への片方向で行うようにしたことが直接的に記載されているとはいえない。
　また、甲第３、４号証には、賞球制御スイッチが閉成されると、その信号は入出力制御装置に伝送されソレノイドが励磁されて、賞球が排出されることが記載され、図面には入出力制御装置から賞球ソレノイド駆動回路を介してソレノイドに通信が片方向で行われていることが記載されているが、これら甲第３、４号証には、「遊技媒体排出制御手段」と「遊技制御手段」との間における賞遊技媒体の排出に関わる通信についての記載はなく、甲第２〜４号証には、本件発明の上記(a)の構成が記載されていない。
　さらに、甲第５〜７号証には、所定の遊技条件の成立に基づき遊技者にとって有利な特別遊技状態を発生可能に構成した遊技機が記載されているだけであって、本件発明の上記(a)の構成について記載されていない。
　したがって、甲第１号証記載の発明は、少なくとも、本件発明の上記(a)の構成を有しておらず、本件発明の上記(a)の構成を周知ということもできないから、本件発明は、上記特許出願の願書に最初に添附した明細書又は図面（上記記甲第１号証参照）に記載された発明と同一と認めることはできない。
　
(3-2)申立人２の申立てについて
　本件発明は、その特許出願前に頒布された刊行物（下記甲第１、２号証参照）に記載された発明に基いて当業者が容易に発明をすることができたものであるから、特許法第２９条第２項の規定に違反して特許されたものである。
　　　　　　　　　　　　　記
甲第１号証：特開昭６３−１２２４８７号公報（申立人提出の甲第２号証に同じ）、
甲第２号証：特開昭６３−１０２７８３号公報。
　
（甲号証記載の発明）
　甲第１号証（特開昭６３−１２２４８７号公報）には、
「球貸機能部のカード読取装置と金額表示器を球貸用制御装置に接続するとともに、該球貸用制御装置を球排出装置に接続し、・・・パチンコ機の遊技用制御装置を球貸用制御装置に各々接続し、球貸機能部のカ−ド挿排口にカードが挿入され、或いは遊技中における入賞にもとづいて球貸用制御装置からの信号により・・・球排出装置を作動して球をパチンコ機の受け皿に排出する・・・パチンコ機。」（第１頁左下欄第７行〜右下欄第２行）、「遊技者が金額表示器８の表示を確認し、金額選択操作部９を操作することにより所望する金額を選択すると、球貸用制御装置１１が当該球貸機能部２の裏側上方に設置してある球排出装置５を作動して、遊技者が選択した金額に対応した数量の球を流下する。」（第３頁左下欄第７〜１３行）、
「遊技者が金額選択操作部９を操作することにより所望する金額を選択すると、球貸用制御装置１１からの信号により球排出装置５のソレノイド２６が励磁する」（第４頁左上欄第１６〜１９行）、
「球排出装置５のソレノイド２６が励磁すると、球ストッパ部２７が樋内の球流路から退いて樋内の球が流下するとともに、球通過検出部２８が通過する球を検出して球貸用制御装置１１に信号を送る。球貸用制御装置１１は、球通過検出部２８からの信号を計数し、所定数の球が通過したことを検出するとソレノイド２６を消磁して球の流下を停止する。」（第４頁右上欄第１〜８行）、
「上記した球排出装置５は、遊技中に打球が入賞口に入る等して入賞態様が形成されると、該パチンコ機１の遊技用制御装置３８から球貸用制御装置１１に信号が送られ、この球貸用制御装置１１からの信号により球排出装置５及び流路切換装置３３が作動する。この場合、球排出装置５は、球数設定操作部１２で予め設定した入賞態様に対応する数、例えば１３個の球を流下し」（第４頁右下欄第５〜１２行）、
「この様に本発明では、球貸出排出と賞球排出とを１つの球排出装置５で処理する。」（第４頁右下欄第１８〜１９行）が記載されている。
　
　甲第２号証（特開昭６３−１０２７８３号公報）には、
「球貸中に遊技においてセーフ球が発生した場合には、このセーフ球の発生にもとづく賞球排出を球貸による球排出に割り込ませて優先的に処理するように電気的制御装置のプログラムを設定してある」（第３頁右下欄第１６〜２０行）が記載されている。
　
（対比・判断）
　本件発明と上記甲第１号証記載の発明とを対比すると、甲第１号証記載の「球排出装置５」、「カード」、「遊技用制御装置３８」、「パチンコ機」が本件発明の「遊技媒体排出手段」、「記憶媒体」、「遊技制御手段」、「遊技装置」に相当し、甲第１号証の「玉貸用制御装置１１」（以下、単に、「制御手段」という。）は、本件発明の「遊技媒体貸出制御」及び「遊技媒体排出制御」を行うことから、
両者は、
「所要の排出条件の成立に基づき遊技媒体排出手段を作動させて所定数の遊技媒体を排出可能な遊技装置において、
金額を特定可能な所要情報が記憶された記憶媒体が挿入されていること条件に遊技者の貸出操作が行われた際に、該貸出操作に基づく所定数の貸出遊技媒体の排出に関わる信号を出力可能な「制御手段」と、
遊技制御を行うとともに、遊技において賞が成立した際に、該賞に対応する所定数の賞遊技媒体の排出に関わる信号を出力可能な遊技制御手段と、
を備え、
前記「制御手段」は、前記遊技媒体排出手段を作動させて所定数の貸出遊技媒体を排出させるとともに、前記遊技制御手段からの賞遊技媒体の排出に関わる信号の入力に基づき該遊技媒体排出手段を作動させて所定数の賞遊技媒体を排出させるように構成され、
前記「制御手段」と前記遊技制御手段との間における賞遊技媒体の排出に関わる通信は、該遊技制御手段から該「制御手段」方向へ行うようにした遊技装置。」である点で一致する。
　しかしながら、甲第１号証記載の発明は、「遊技媒体貸出制御」及び「遊技媒体排出制御」を兼ねた「制御手段（玉貸用制御装置１１）」からなることから、少なくとも、本件発明の(b)「前記遊技媒体排出制御手段と前記遊技媒体貸出制御手段との間における貸出遊技媒体の排出に関わる通信は双方向で行う」構成についての具体的な構成は、甲第１号証には記載されていない。
　上記相違点について検討すると、甲第２号証に「球貸中に遊技においてセーフ球が発生した場合には、このセーフ球の発生にもとづく賞球排出を球貸による球排出に割り込ませて優先的に処理するように電気的制御装置のプログラムを設定してある」（第３頁右下欄第１６〜２０行）と記載されていることから、貸出遊技媒体の排出よりも賞遊技媒体の排出を優先させることは記載されているにとどまり、「遊技媒体排出制御手段」と「遊技媒体貸出制御手段」との間における貸出遊技媒体の排出に関わる通信は双方向で行うことについては具体的に何も記載されていないから、甲第２号証には、本件発明の上記(b)の構成は記載されていない。
　したがって、本件発明は、甲第１、２号証記載の発明に基いて当業者が容易に発明をすることができたものと認めることはできない。
　
　なお、申立人２は、本件発明の(a)「遊技媒体排出制御手段と遊技制御手段との間における賞遊技媒体の排出に関わる通信は、該遊技制御手段から該遊技媒体排出制御手段方向への片方向で行うようにしたこと」について次のように主張している。「本件特許出願の親出願においては、その公開公報である特開平４−５１９８３号公報の第１２頁左下欄第１１〜１５行に「セーフ信号に基づいて役物制御部１１１は球排出装置制御手段たる球排出装置制御部１１２へ排出制御信号を送信し、該排出制御信号に基づいて球排出装置制御部１１２が賞球排出装置２５に賞球排出動作を行わせるのである」との記載があるとともに、第８図の「役物制御部１１１」から「球排出装置制御部１１２」へ「排出制御信号」が与えられることが図示されているだけであり、通信を片方向で行うとの説明はない。言い換えれば「賞遊技媒体の排出に関わる通信は、遊技制御手段から遊技媒体へ排出制御手段方向への片方向で行われるため、遊技媒体排出制御手段から遊技制御手段への信号の入力は一切行われない」なる構成は単なる確認事項であり、「遊技媒体排出制御手段から遊技制御手段への信号の入力は一切行われないので、特別遊技状態の発生に関わる重要な制御を行う遊技制御手段に対して、他の制御手段からの入力信号にノイズ等が混入して遊技制御手段が誤った動作制御を行ったり、或いは、入力信号を利用して意図的に遊技制御手段に誤動作を引き起こすような不正行為を効果的に抑止できる。」（本件特許公報第１４頁第２８欄第１〜８行）なる説明は、親出願に記載されているものではなく、発明の要旨を構成するものではないと解すべきである。なお、甲第１号証にも、上述したように「遊技用制御装置３８から球貸用制御装置１１に信号が送られる」旨の説明があり、その逆方向に信号が送られるとの記載はない。従って、構成要件Ｆ（遊技媒体排出制御手段と遊技制御手段との間における賞遊技媒体の排出に関わる通信は、該遊技制御手段から該遊技媒体排出制御手段方向への片方向で行うようにしたこと）も、甲第１号証に開示された要件である。」（申立人２の特許異議申立書第８頁第１８行〜第９頁第９行）。
　しかしながら、本件特許出願の親出願に添付された明細書及び図面（特開平４−５１９８３号公報参照）には、第８図のブロック図において、各ブロック相互間に矢印が記載され、役物制御部１１１のブロックと球排出装置制御部１１２のブロック間では、役物制御部１１１から球排出装置制御部１１２に向けてのみ矢印が記載され該矢印上に玉貸信号が記載されており、球排出装置制御部のブロック１１２から役物制御部１１１のブロックに向けては矢印がないことから、該出願に添付された明細書及び図面に(a)「遊技媒体排出制御手段と遊技制御手段との間における賞遊技媒体の排出に関わる通信は、該遊技制御手段から該遊技媒体排出制御手段方向への片方向で行うようにしたこと」が明らかに記載されている。一方、甲第１号証には、遊技制御手段（遊技用制御装置３８）から遊技媒体排出制御装置（玉貸用制御装置１１）に信号が送られることは記載されているものの、上記通信が遊技媒体排出制御手段（玉貸用制御装置１１）から遊技制御手段（遊技用制御装置３８）方向へ行うようにしたか否かは記載されていないから、上記(a)については記載されていないことになり、申立人２の上記主張は理由がない。
　
４.むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１２年９月２６日（２０００．９．２６）